(57)【特許請求の範囲】
【請求項１】
磁気テープを巻装した単一のリールをカートリッジケース内に回転可能に収容し、使用時に前記リールの回転を許容し、不使用時に前記リールの回転を拘束するリール回転制止手段を備えた磁気テープカートリッジにおいて、
前記リール回転制止手段は、前記リールに対して接離可能に移動してリールの回転を拘束する制止部材と、該制止部材を制止方向に付勢する付勢部材と、前記リールと一体に回転してドライブ側回転駆動手段のチャッキング動作に応じて移動し前記制止部材を解除方向に移動させる解除部材とを有し、
前記解除部材は略三角形状の基板の各頂部に、前記リールに設けた挿通孔に挿通されて先端が前記ドライブ側回転駆動手段の一部に当接する３つの脚部を有し、該解除部材は傾斜状態で前記リールの中央開口部に一部が挿入され、２つの脚部が前記挿通孔の近傍に位置決めされた状態で、残りの１つの脚部が前記リールの中央開口部内に落下挿入可能な寸法に形成されており、
前記リールの中央開口部の内周面には、前記解除部材の前記２つの脚部を前記挿通孔の近傍に位置決めするための縦リブが形成されていることを特徴とする磁気テープカートリッジ。
【請求項２】
前記解除部材の基板には、組み立て保持具が位置決め保持し得る保持部が形成されていることを特徴とする請求項１に記載の磁気テープカートリッジ。
【請求項３】
前記保持部が基板を貫通する開口で設けられ、該開口は前記基板の前記制止部材との摺接部に指向して形成されていることを特徴とする請求項２に記載の磁気テープカートリッジ。
【発明の詳細な説明】
【０００１】
【発明の属する技術分野】
本発明は、磁気テープカートリッジに関し、特にカートリッジケース内に磁気テープが巻装された単一のリールを回転可能に収容してなる磁気テープカートリッジにおいて、上記リールを不使用時に回転制止状態とするリール回転制止手段の構造に関するものである。
【０００２】
【従来の技術】
従来、コンピュータ等の外部記憶装置に用いられる記録媒体として使用されている磁気テープカートリッジには、単一のリールに磁気テープを巻装し、このリールをカートリッジケース内に回転可能に収容したタイプのものが知られている。この磁気テープはコンピュータ等のデータ保存用として用いられ、重要な情報が記憶されているため、テープジャミング等のトラブルが発生しないように、また保管時等の不使用時には不用意に磁気テープが引き出されないように、上記リールの回転を拘束するリール回転制止手段が設置されている。
【０００３】
上記リール回転制止手段は、リールの一部に係合してその回転を拘束する制止部材を備え、カートリッジを外部記憶装置等のドライブに装填した際には、上記制止部材をドライブ側回転駆動手段によるリールのチャッキング動作に応じて制止状態を解除するように設けている。
【０００４】
また、前述のリール回転制止手段の動作の信頼性向上、カートリッジケース内への塵埃の侵入防止等の要求から、このリール回転制止手段をリールの回転を拘束する制止部材と、この制止部材を制止方向に付勢する付勢部材と、ドライブ側回転駆動手段のチャッキング動作に応じて移動し前記制止部材を解除方向に移動させる解除部材とに分離した構造に設けることが考えられる。
【０００５】
つまり、不使用状態においては、制止部材によってリールが不用意に回転しないように拘束して磁気テープの引き出しが行われないようにしているが、カートリッジをドライブに装填して回転駆動手段によってリールのチャッキングが行われると、その動作に連係して解除部材が移動して前記制止部材を解除作動する。この状態においてはリールは回転可能となり、磁気テープの引き出し及び巻き取りが行える。
【０００６】
【発明が解決しようとする課題】
しかし、上記のような機構において、前記解除部材のリールに対する組み立てが煩雑となって作業性が低下する問題を有する。特に前記解除部材に３つの脚部を設け、この脚部を上記リールに設けた挿通孔を通して先端がドライブ側回転駆動手段の一部に当接するように設け、ドライブ側回転駆動手段のチャッキング動作時に上記脚部を押圧してこの解除部材を解除作動するように設けることが構造の簡素化を図ることなどで有利であるが、このような構造を採用すると、解除部材をリールの中央開口部に挿入して、その脚部を挿通孔に挿通する組み立てが簡易に行えなくなる問題を有する。
【０００７】
具体的には、前記リールの中央開口部の開口形状が、内部の解除部材を収容する部分の形状より小さく、解除部材を平坦とした姿勢ではそのまま挿入して組み付けることができないものの場合に、特に組み付け作業が複雑で煩雑となり、無理に押し込むような動作を必要とすることにもなる。
【０００８】
また、解除部材の組み付けをロボット等によって行う場合には、解除部材を正確に位置決め保持する必要がある。
【０００９】
さらに、前記解除部材は磁気テープの繰り出し又は巻き取り時にリールと一体に高速回転する一方、前記制止部材は回転せず、両者の摺接部が摺動して摩擦熱により温度が上昇して耐久性の点で不利となる問題を有している。
【００１０】
本発明は上記点に鑑みなされたもので、リール回転制止手段における解除部材のリールに対する組み付け性を改善するようにした磁気テープカートリッジを提供せんとするものである。
【００１１】
【課題を解決するための手段】
上記課題を解決した本発明の磁気テープカートリッジは、磁気テープを巻装した単一のリールをカートリッジケース内に回転可能に収容し、使用時に前記リールの回転を許容し、不使用時に前記リールの回転を拘束するリール回転制止手段を備えたものにおいて、前記リール回転制止手段は、前記リールに対して接離可能に移動してリールの回転を拘束する制止部材と、該制止部材を制止方向に付勢する付勢部材と、前記リールと一体に回転してドライブ側回転駆動手段のチャッキング動作に応じて移動し前記制止部材を解除方向に移動させる解除部材とを有し、前記解除部材は略三角形状の基板の各頂部に前記リールに設けた挿通孔に挿通されて先端が前記ドライブ側回転駆動手段の一部に当接する３つの脚部を有し、該解除部材は傾斜状態で前記リールの中央開口部に一部が挿入され、２つの脚部が前記挿通孔の近傍に位置決めされた状態で、残りの１つの脚部が前記リールの中央開口部内に落下挿入可能な寸法に形成されていることを特徴とするものである。
【００１２】
また、前記解除部材の基板には、組み立て保持具が位置決め保持し得る保持部を形成するのが望ましい。その際、前記保持部が基板を貫通する開口で設けられ、該開口は前記制止部材との摺接部に指向して形成するのが好適である。
【００１３】
【発明の効果】
上記のような本発明によれば、解除部材の略三角形状の基板の各頂部に設けた３つの脚部をリールに設けた挿通孔に挿通するについて、この解除部材を傾斜状態でリールの中央開口部に一部を挿入して、２つの脚部を前記挿通孔の近傍に位置決めした状態で、残りの１つの脚部が前記リールの中央開口部内に落下挿入可能な寸法に形成したことにより、リールと解除部材との組み付けを押し込み動作を伴うことなく簡易に行うことができ、全体としての磁気テープカートリッジの組み立てが効率よく行える。
【００１４】
また、解除部材の基板に組み立て保持具が位置決め保持し得る保持部を形成したものでは、解除部材の精度良い保持が簡易に行え、前述のような組み付けが確実に行える。
【００１５】
さらに、前記保持部を基板を貫通し制止部材との摺接部に指向する開口としたものでは、リールの回転時における摺接部に向けてエアを流動させてその冷却を図って耐久性を改善することができる。
【００１６】
【発明の実施の形態】
以下、図面に示す実施の形態に基づいて本発明を詳細に説明する。図１はこの実施の形態における磁気テープカートリッジの不使用状態における断面図、図２は要部の分解斜視図、図３は使用状態における要部断面図、図４は組込み状態の解除部材の平面図である。
【００１７】
磁気テープカートリッジ１は、単一のリール２に磁気テープ（図示省略）を巻装し、上ケース３１と中心部に開口３２ａが設けられた下ケース３２とがビス等により締結されてなるカートリッジケース３内に、上記リール２を回動可能に収容して構成されている。また、上記磁気テープカートリッジ１は、使用時に前記リール２の回転を許容し、不使用時に前記リール２の回転を拘束するリール回転制止手段１０を備えている。
【００１８】
前記リール２は、磁気テープが外周に巻回される有底円筒状のリールハブ２１と、このリールハブ２１の上下端からそれぞれ径方向に円盤状に張り出した下フランジ部２２及び上フランジ部２３とからなり、リールハブ２１と下フランジ部２２とが合成樹脂により一体成形され、上フランジ部２３と例えば超音波溶着により結合されている。
【００１９】
上記上フランジ部２３とリールハブ２１との溶着においては、リールハブ２１の上端と上フランジ部２３の内面とが溶着されると共に、上フランジ部２３の内周端部がリールハブ２１の上端内周側に嵌合し、この嵌合部の先端とリールハブ２１の内周面に配設された複数の縦リブ２８の上端部とが同時に溶着されている。
【００２０】
また、前記リールハブ２１は中心側下部が底壁２１ａにより閉じられ、該底壁２１ａの下面外周部にはリール２を回転駆動するリールギヤ２４が環状に刻設され、このリールギヤ２４より内周側にはマグネット式吸引用の環状金属板によるリールプレート２５が取り付けられる。そして、上記リール２のリールギヤ２４及びリールプレート２５がカートリッジケース３の底面の開口３２ａに臨むように配置されている。なお、リール２は後述の付勢部材５により下方に付勢される。
【００２１】
また、ドライブ側回転駆動手段１１は、回転シャフト１２の上端面に円環状の駆動ギヤ１３とマグネット（図示せず）を備え、そのチャッキング動作は図示せぬドライブ側のバケットに装填された磁気テープカートリッジ１が回転シャフト１２に対して下降し、駆動ギヤ１３が前記リールギヤ２４に噛合すると共に、マグネットにより上記リールプレート２５を吸引して噛合状態を保持する。
【００２２】
次に、前記リール回転制止手段１０の機構を説明する。このリール回転制止手段１０は、前記リール２に対して接離可能に上下方向に移動する制止部材４と、該制止部材４を制止方向に付勢する付勢部材５と、前記制止部材４を解除方向に移動させる解除部材６とを有している。
【００２３】
前記リール２の底壁２１ａには、前記リールギヤ２４の部分を上下方向に貫通する３個の挿通孔２６が円周上で等間隔に配設され、さらに、底壁２１ａの上面には上記挿通孔２６と異なる位相位置に３組６個の係止突起２７が円周上で等間隔に立設され、この係止突起２７の先端部はギヤ歯形状に形成されている。なお、上記挿通孔２６及び係止突起２７は３個或いは３組以上配置してもよく、係止突起２７の先端部は単一のギヤ歯形状としてもよい。図２に示すリール２は、底壁２１ａの部分のみ切除した状態で示している。
【００２４】
前記制止部材４は、円盤部４１が前記リール２のリールハブ２１内にその底壁２１ａと対向して配置され、この円盤部４１の下面外周部には円環状に制止用ギヤ４２が刻設され、この制止用ギヤ４２には前記係止突起２７の先端部が噛合可能である。また、前記円盤部４１の下面中心部は凸面状に突出形成され、解除部材６の上面中心部の摺接部６２に圧接する。
【００２５】
さらに、前記制止部材４の円盤部４１の上面には突起部４４が上方に延びて形成され、この突起部４４には上下方向に延びる十字形状の係止溝４５が設けられている。一方、カートリッジケース３の上ケース３１の内面には上記係止溝４５に挿入される回り止め突起３３が立設されている。そして、係止溝４５と回り止め突起３３の係合で、制止部材４が回転しない状態で上下方向に移動可能に設置されている。なお、上記係止溝４５は一文字状に設けてもよい。
【００２６】
前記制止部材４の突起部４４より外周側の円盤部４１上面と上ケース３１の回り止め突起３３の外周側内面との間にはコイルスプリングによる付勢部材５が縮装されて、制止部材４を下方に制止用ギヤ４２と係止突起２７とが係合する制止方向に付勢している。
【００２７】
また、前記解除部材６は、前記制止部材４とリールハブ２１の底壁２１ａとの間に上下移動可能に介装され、略三角形状の基板６１の各頂点の下面には上下方向に延びる円柱状の脚部６３が設けられている。上記基板６１は高剛性樹脂材料で脚部６３と共に一体成形され、その上面中心部には前記制止部材４の下面中心部と接触する摺接部６２が若干高く形成されている。
【００２８】
前記解除部材６の各脚部６３は、前記リール２の底壁２１ａに開口された挿通孔２６にそれぞれ出没移動可能に挿通され、その先端はリール２下面のリールギヤ２４の歯部に臨んで位置する。その際、前記係止突起２７は各脚部６３の間で基板６１の外側に位置する。前記基板６１の側辺は各頂点における円形脚部６３の外周を接続する接線に形成され、各頂点の外形が小さくなるように設けられている。
【００２９】
なお、前記リール２の内周に形成された前記縦リブ２８は、上記挿通孔２６の両側に所定の間隔で形成されたものが、解除部材６の脚部６３を挿通孔２６に挿入する際の位置決め部及びガイドとなる（図４，図６参照）。
【００３０】
さらに、前記解除部材６の基板６１には、図５に示すような組み立て保持具７０、具体的には組み立てロボットにおけるハンド７１の開閉チャック７２（１組のチャック爪）が、位置決め保持し得る円形状の貫通開口による保持部６４が形成されている。この保持部６４は各頂点の脚部６３に対向する位置に３つ開口され、さらに、この貫通開口による保持部６４は前記制止部材４との摺接部６２すなわち中心部に指向して傾斜形成され、図３に示すように、リール２の回転時に上記摺接部６２に向けて下面から上面に向けてエアの流れを形成するファンの役目を有し、前記摺接部６２の冷却を行うようになっている。
【００３１】
なお、上記保持部６４は、前記組み立て保持具７０によって単に保持するための場合には、貫通構造とせず段部構造に設けてもよい。
【００３２】
そして、前記解除部材６のリール２への組み付けは、図５及び図６に示すように、前記組み立て保持具７０の開閉チャック７２によって解除部材６は１つの頂部脚部６３と保持部６４とが挟持されて位置決め状態で保持され、他の２つの脚部６３が下方となるように傾斜状態とされる。そして、図６に鎖線で示すように、下方となった側辺が前記リール２の中央開口部２ａの中央部近傍（基板６１の側辺の長さより広い部分）で図５の矢印Ａのように下方に移動して挿入される。その後、矢印Ｂのように前方に移動して、図６に実線で示すように前方の２つの脚部６３を前記挿通孔２６の近傍の縦リブ２８に当接して位置決めした状態で停止する。続いて、前記組み立て保持具７０の開閉チャック７２を開いて解除部材６の保持状態を解放し、保持していた脚部６３が自重で落下し、前記リール２の中央開口部２ａ内に挿入すると共に、前記縦リブ２８のガイド作用により各脚部６３が各挿通孔２６に自動的に挿通される。このような組み付け動作が可能なように、解除部材６の形状寸法が設定されているものである。
【００３３】
前記解除部材６の保持部６４の開口形状は、前記実施の形態では図７(Ａ)のように円形状に開口し、開閉チャック７２によって頂部脚部６３との間で挟持するようにしているが、他の実施の形態としては、図７(Ｂ)のような台形状に開口した保持部６５、又は、図７(Ｃ)のような矩形状に開口した保持部６６とし、同様に開閉チャック７２によって頂部脚部６３との間で挟持可能な構造としてもよい。
【００３４】
図８には前記解除部材６の保持についての他の実施の形態を示し、この例では解除部材６の頂部の１つの脚部６３を他の形式の組み立て保持具７５（組み立てロボット）におけるハンド７６の開閉チャック７７によって挟持するようにしている。この場合においては、解除部材６の基板６１には前述の貫通開口のような保持部６４を形成していないものについても、前記と同様な組み付け動作によってリール２への組み付けが可能である。
【００３５】
また、図示していないが、さらに他の実施の形態として、解除部材６の１つの脚部６３の近傍における基板６１表面を吸着方式の組み立て保持具で保持するようにしても、前記と同様な組み付け動作によってリール２への組み付けが可能である。
【００３６】
前記リール回転制止手段１０の作用を説明すれば、図１は磁気テープカートリッジ１の保管状態等の不使用時であり、この状態では、付勢部材５の付勢力によって制止部材４、解除部材６並びにリール２はカートリッジケース３の下ケース３２側に移動しており、下ケース３２中心部の開口３２ａはリール２によって閉塞される。解除部材６は下面がリールハブ２１の底壁２１ａ上面に当接した最下降状態にあり、その脚部６３は先端部がリールギヤ２４の歯先位置に一致するように突出しており、解除部材６の上面に当接している制止部材４も下降位置にあり、その制止用ギヤ４２にリール２の係止突起２７の先端部が係合してリール２の不使用時における回転が拘束され、磁気テープの引き出しを阻止する。
【００３７】
一方、磁気テープカートリッジ１をドライブに装填した図３のカートリッジ使用時は、ドライブ側回転駆動手段１１の回転シャフト１２がリール２の底面に対して接近し、チャッキング動作によって駆動ギヤ１３がリールギヤ２４に噛合しリール２を若干上方に移動させて保持すると、上記駆動ギヤ１３の歯先が解除部材６の脚部６３の先端に当接してこれを押し上げる。これに伴い、解除部材６が付勢部材５の付勢力に抗して上方へ移動し、この解除部材６と一体に制止部材４も上方の解除方向へ移動する。これにより制止用ギヤ４２と係止突起２７の係合が解除され、リール２が回転自在とされる。そして、記録再生装置のドライブによって磁気テープが引き出され又は巻き取りが行われる。
【００３８】
なお、前記解除部材における脚部６３は角柱状、楕円柱状等に形成してもよい。
【図面の簡単な説明】
【図１】本発明の一つの実施の形態による磁気テープカートリッジの不使用状態における断面正面図
【図２】図１の磁気テープカートリッジの要部の分解斜視図
【図３】図１の磁気テープカートリッジの使用状態における要部断面図
【図４】図３において解除部材の上面と制止部材の下面との間で切断した要部平面図
【図５】リールに対する解除部材の組み付け状態を示す要部断面図
【図６】同組み付け状態の概略平面図
【図７】解除部材の各種形態を示す底面図
【図８】リールに対する解除部材の他の組み立て態様を示す要部断面図
【符号の説明】
１    磁気テープカートリッジ
２    リール
2a    中央開口部
３    カートリッジケース
４    制止部材
５    付勢部材
６    解除部材
10    リール回転制止手段
11    ドライブ側回転駆動手段
13    駆動ギヤ
21    リールハブ
23    上フランジ部
24    リールギヤ
26    挿通孔
27    係止突起
28    縦リブ
42    制止用ギヤ
61    基板
62    摺接部
63    脚部
64〜66    保持部
70,75     組み立て保持具
72,77     開閉チャック
【図１】
0003748176.tif 000002
【図２】
0003748176.tif 000003
【図３】
0003748176.tif 000004
【図４】
0003748176.tif 000005
【図５】
0003748176.tif 000006
【図６】
0003748176.tif 000007
【図７】
0003748176.tif 000008
【図８】
0003748176.tif 000009